(57)【要約】【課題】  非ハードディスク保存媒体による急速起動とマルチメディアオーディオビデオ機能実行の方法の提供。【解決手段】  コンピュータ装置を起動する時、ＣＤ等の非ハードディスク保存媒体に記録されたオペレーションシステムで該コンピュータ装置を起動し、続いて該コンピュータ装置に接続されたオーディオビデオ装置を検出し、検出したオーディオビデオ装置の駆動プログラムを実行し、該保存媒体中のオーディオビデオアプリケーションプログラムを実行し、オーディオビデオ機能の急速起動と実行を達成する。このステップは更に該コンピュータ装置のＲＡＭモジュール中にＲＡＭＤＩＳＫエリアを画定して該オペレーションシステム、該オーディオビデオ装置の駆動プログラム、及びオーディオビデオアプリケーションプログラムの実行に必要な空間とするステップを含む。【選択図】        図４
2006031663.tif 000002
【特許請求の範囲】
【請求項１】
非ハードディスク保存媒体による急速起動とマルチメディアオーディオビデオ機能実行の方法において、コンピュータ装置に第１オペレーションシステムをインストールしたハードディスク、ＲＡＭモジュール、保存媒体を読み取る保存媒体読取装置、及びオーディオビデオ装置が設けられ、該保存媒体に予め第２オペレーションシステムとオーディオビデオアプリケーションプログラムが保存され、この方法は、
（ａ）該コンピュータ装置を起動するステップ、
（ｂ）保存媒体が存在するかを検出するステップ、
（ｃ）該保存媒体の存在を検出する時、該保存媒体中の第２オペレーションシステムを該ＲＡＭモジュールにロードし並びに第２オペレーションシステムを実行するステップ、  （ｄ）該コンピュータ装置に接続されたオーディオビデオ装置を検出し、並びに検出したオーディオビデオ装置の駆動プログラムを実行するステップ、
（ｅ）該保存媒体中のオーディオビデオアプリケーションプログラムを実行するステップ、
を具えたことを特徴とする、非ハードディスク保存媒体による急速起動とマルチメディアオーディオビデオ機能実行の方法。
【請求項２】
請求項１記載の非ハードディスク保存媒体による急速起動とマルチメディアオーディオビデオ機能実行の方法において、保存媒体読取装置がＣＤ−ＲＯＭドライブとされ、保存媒体がＣＤ−ＲＯＭとされたことを特徴とする、非ハードディスク保存媒体による急速起動とマルチメディアオーディオビデオ機能実行の方法。
【請求項３】
請求項１記載の非ハードディスク保存媒体による急速起動とマルチメディアオーディオビデオ機能実行の方法において、（ｃ）のステップ中に、更に、コンピュータ装置のＲＡＭモジュール中にＲＡＭＤＩＳＫ領域を画定して第２オペレーションシステム、オーディオビデオ装置の駆動プログラム、及びオーディオビデオアプリケーションプログラムの実行に必要な空間とするステップを具えたことを特徴とする、非ハードディスク保存媒体による急速起動とマルチメディアオーディオビデオ機能実行の方法。
【請求項４】
請求項１記載の非ハードディスク保存媒体による急速起動とマルチメディアオーディオビデオ機能実行の方法において、（ｄ）のステップ中、オーディオビデオ装置の駆動プラグラムが予め保存媒体に保存されていることを特徴とする、非ハードディスク保存媒体による急速起動とマルチメディアオーディオビデオ機能実行の方法。
【請求項５】
非ハードディスク保存媒体による急速起動とマルチメディアオーディオビデオ機能実行の方法において、コンピュータ装置に第１オペレーションシステムをインストールしたハードディスク、ＲＡＭモジュール、保存媒体を読み取る保存媒体読取装置、及びオーディオビデオ装置が設けられ、該保存媒体に予め第２オペレーションシステムとオーディオビデオアプリケーションプログラムが保存され、この方法は、
（ａ）該コンピュータ装置を起動するステップ、
（ｂ）コンピュータ装置のディスプレイ装置にハードディスクの第１オペレーションシステムでの起動アイコンと保存媒体の第２オペレーションシステムでの起動アイコンを包含する機能選択アイコンを現出させ、使用者の選択に供するステップ、
（ｃ）保存媒体の第２オペレーションシステムでの起動が選択される時、コンピュータ装置が保存媒体中の第２オペレーションシステムをＲＡＭモジュールにロードし並びに第２オペレーションシステムを実行するステップ、
（ｄ）コンピュータ装置に接続されたオーディオビデオ装置を検出し、並びに検出したオーディオビデオ装置の駆動プログラムを実行するステップ、
（ｅ）保存媒体中のオーディオビデオアプリケーションプログラムを実行するステップ、
を具えたことを特徴とする、非ハードディスク保存媒体による急速起動とマルチメディアオーディオビデオ機能実行の方法。
【請求項６】
請求項５記載の非ハードディスク保存媒体による急速起動とマルチメディアオーディオビデオ機能実行の方法において、保存媒体読取装置がＣＤ−ＲＯＭドライブとされ、保存媒体がＣＤ−ＲＯＭとされたことを特徴とする、非ハードディスク保存媒体による急速起動とマルチメディアオーディオビデオ機能実行の方法。
【請求項７】
請求項５記載の非ハードディスク保存媒体による急速起動とマルチメディアオーディオビデオ機能実行の方法において、（ｃ）のステップ中に、更に、保存媒体が存在するかを検出するステップを包含することを特徴とする、非ハードディスク保存媒体による急速起動とマルチメディアオーディオビデオ機能実行の方法。
【請求項８】
請求項５記載の非ハードディスク保存媒体による急速起動とマルチメディアオーディオビデオ機能実行の方法において、（ｃ）のステップ中に、更に、コンピュータ装置のＲＡＭモジュール中にＲＡＭＤＩＳＫ領域を画定して第２オペレーションシステム、オーディオビデオ装置の駆動プログラム、及びオーディオビデオアプリケーションプログラムの実行に必要な空間となすステップを包含することを特徴とする、非ハードディスク保存媒体による急速起動とマルチメディアオーディオビデオ機能実行の方法。
【請求項９】
請求項５記載の非ハードディスク保存媒体による急速起動とマルチメディアオーディオビデオ機能実行の方法において、（ｄ）のステップ中、オーディオビデオ装置の駆動プラグラムが予め保存媒体に保存されていることを特徴とする、非ハードディスク保存媒体による急速起動とマルチメディアオーディオビデオ機能実行の方法。
【発明の詳細な説明】
【技術分野】
【０００１】
本発明は一種のコンピュータシステムのマルチメディアオーディオビデオ機能を起動し実行する方法に係り、特に、コンピュータシステム中で、例えば光ディスク等非ハードディスク保存媒体による急速起動とマルチメディアオーディオビデオ機能実行の方法に関する。
【背景技術】
【０００２】
コンピュータ技術の不断の研究開発により、現在、コンピュータ装置にオーディオビデオ装置を結合させてなるマルチメディアオーディオビデオシステムは、オフィス、家庭、商業場面等の多くの領域で広く応用されている。
【０００３】
現在のマルチメディアオーディオビデオシステムのほとんどは、単純にオーディオビデオ装置をコンピュータインタフェースでコンピュータ装置に接続した設計とされる。ゆえに使用者がマルチメディアオーディオビデオ機能を実行したい時には、コンピュータ装置を通してオーディオビデオ装置のアプリケーションプログラムを起動しなければならない。
【０００４】
図１は周知のコンピュータ装置とオーディオビデオ装置で構成されたシステムの構造表示図である。このコンピュータ装置１００は中央処理装置１、ＲＡＭモジュール２、ディスプレイ装置３、基本入出力システムメモリ４（ＢＩＯＳ  ＲＯＭ）、入出力装置５、ハードディスク６、保存媒体読取装置７（例えばＣＤドライブ）、オーディオビデオ装置８、システムバス１０、バスブリッジ１１、ＰＣＩ／ＩＳＡバス１２、ディスプレイインタフェース３０、入出力コントロールインタフェース５０、ハードディスクインタフェース６０、保存媒体インタフェース７０、オーディオビデオインタフェース８０等の部品を具えている。
【０００５】
該基本入出力システムメモリ４中にはコンピュータ装置１００の起動時に必要な基本入出力システムプログラム（ＢＩＯＳ  プログラム４１）及びシステムセルフテストプログラム（Ｐｏｗｅｒ  Ｏｎ  Ｓｅｌｆ  Ｔｅｓｔ、略称ＰＯＳＴプログラム４２）が保存されている。
【０００６】
上述の伝統的な設計中、マルチメディアオーディオビデオ機能を起動実行するには、使用者はまずコンピュータ装置を起動し並びに該コンピュータ装置の全ての起動プロセスを完成した後でなければ該マルチメディアオーディオビデオ機能を実行できず、急速な起動とマルチメディアオーディオビデオ機能の実行ができない。ゆえに使用上、不便なところがある。
【０００７】
上述の欠点を克服するため、現在すでに急速に起動しマルチメディアオーディオビデオ機能実行する設計があるが、そのほとんどはコンピュータ装置１００のハードディスク６中に第１分割領域６ａと第２分割領域６ｂを画定し、そのうち第１分割領域６ａ中に第１オペレーションシステム６１（例えば現在広く使用されているＷｉｎｄｏｗｓ（登録商標）オペレーションシステム）をインストールし、第２分割領域６ｂ中に第２オペレーションシステム（例えばリナックスベースオペレーションシステム）と各種マルチメディアオーディオビデオアプリケーションプログラム６３（例えばＭＰ３、ＤＶＤ、ＣＤ、ＦＭ、ＴＶ等を放送する各種アプリケーションプログラム）をインストールし、並びにコンピュータ装置１００の基本入出力システム（ＢＩＯＳ）に対して一部改修する必要がある。
【０００８】
ゆえに使用者はスイッチ或いはリモコン等を利用してその必要に応じてコンピュータオペレーションモード（ＰＣ  Ｍｏｄｅ）或いはマルチメディアオーディオビデオモード（ＡＶ  Ｍｏｄｅ）を選択し実行するか、或いは直接マルチメディアオーディオビデオモードの電源スイッチを押し、すなわちコンピュータ起動後に、コンピュータ装置１００に一般の第１分割領域６ａの第１オペレーションシステム６１の起動プログラムを実行させず、第２分割領域６ｂ中の第２オペレーションシステム６２のロード及び実行を選択し、並びに必要なオーディオビデオ装置を駆動し、更に使用者が選択した種類の放送機能（例えばＤＶＤ）により放送を行なう。すなわち、使用者は一般のコンピュータのＷｉｎｄｏｗｓ（登録商標）オペレーションシステムに進入する必要がなく、冗長な起動時間を消耗する無駄を省け、コンピュータ装置の全てのハードウエア設備を初期化する必要をなくすことができる。
【発明の開示】
【発明が解決しようとする課題】
【０００９】
前述の従来の技術は急速な起動とマルチメディアオーディオビデオ機能実行を達成できるが、コンピュータ装置のハードディスク中に異なる分割領域を画定して別のオペレーションシステムと各種のマルチメディアオーディオビデオアプリケーションプログラムを保存する必要があり、且つ、該コンピュータ装置の基本入出力システムに対して一部改修を行なう必要があるため、コンピュータ装置のハードディスクの磁性領域が複雑化し、且つ改修後の基本入出力システム機能は特定製品に使用できるだけで、一般のコンピュータ装置に適用することはできない。
【００１０】
更に、従来の技術においては、コンピュータ装置のハードディスク中に特定の情報保存磁性領域を画定してアプリケーションプログラムの起動実行に必要なプログラムと情報を保存しなければならず、ゆえに該コンピュータ装置のハードディスク空間を浪費し、且つ特定区画の磁性領域は使用者がアクセスと更新を行なえず、また使用者のハードディスクに対する使用権を制限した。
【００１１】
上述の従来の方法は、使用者がオーディオビデオ装置を起動実行する時の迅速さの要求に明らかに符合せず、コンピュータ装置自身のシステムソース運用に対しても、重大な障害を形成する。ゆえに急速な起動とオーディオビデオ機能の実行が行なえる方法が求められている。
【００１２】
ゆえに、本発明の主要な目的は、非ハードディスク保存媒体による急速起動とマルチメディアオーディオビデオ機能実行の方法を提供し、コンピュータ装置がマルチメディアオーディオビデオ機能を実行する時、特定の基本入出力システム及び特定のハードディスク分割領域の制限を受けるために一般のコンピュータ装置に使用できない欠点を解決することにある。
【００１３】
本発明の別の目的は、コンピュータ装置のハードウエアソースを多く占拠せずに急速な起動とマルチメディアオーディオビデオ機能の実行ができる方法を提供し、伝統的なコンピュータ装置のマルチメディアオーディオビデオ機能実行時に巨大なコンピュータ装置ハードウエアソースを占用する問題を解決することにある。
【００１４】
本発明の更に別の目的は、一般のコンピュータオペレーションシステムを起動しなくともマルチメディアオーディオビデオ機能を実行できる方法を提供し、使用者が長い起動時間を費やす必要をなくすと共に、コンピュータ装置の全てのハードウエア設備を初期化する必要をなくすことにある。
【課題を解決するための手段】
【００１５】
請求項１の発明は、非ハードディスク保存媒体による急速起動とマルチメディアオーディオビデオ機能実行の方法において、コンピュータ装置に第１オペレーションシステムをインストールしたハードディスク、ＲＡＭモジュール、保存媒体を読み取る保存媒体読取装置、及びオーディオビデオ装置が設けられ、該保存媒体に予め第２オペレーションシステムとオーディオビデオアプリケーションプログラムが保存され、この方法は、
（ａ）該コンピュータ装置を起動するステップ、
（ｂ）保存媒体が存在するかを検出するステップ、
（ｃ）該保存媒体の存在を検出する時、該保存媒体中の第２オペレーションシステムを該ＲＡＭモジュールにロードし並びに第２オペレーションシステムを実行するステップ、  （ｄ）該コンピュータ装置に接続されたオーディオビデオ装置を検出し、並びに検出したオーディオビデオ装置の駆動プログラムを実行するステップ、
（ｅ）該保存媒体中のオーディオビデオアプリケーションプログラムを実行するステップ、
を具えたことを特徴とする、非ハードディスク保存媒体による急速起動とマルチメディアオーディオビデオ機能実行の方法としている。
請求項２の発明は、請求項１記載の非ハードディスク保存媒体による急速起動とマルチメディアオーディオビデオ機能実行の方法において、保存媒体読取装置がＣＤ−ＲＯＭドライブとされ、保存媒体がＣＤ−ＲＯＭとされたことを特徴とする、非ハードディスク保存媒体による急速起動とマルチメディアオーディオビデオ機能実行の方法としている。
請求項３の発明は、請求項１記載の非ハードディスク保存媒体による急速起動とマルチメディアオーディオビデオ機能実行の方法において、（ｃ）のステップ中に、更に、コンピュータ装置のＲＡＭモジュール中にＲＡＭＤＩＳＫ領域を画定して第２オペレーションシステム、オーディオビデオ装置の駆動プログラム、及びオーディオビデオアプリケーションプログラムの実行に必要な空間とするステップを具えたことを特徴とする、非ハードディスク保存媒体による急速起動とマルチメディアオーディオビデオ機能実行の方法としている。
請求項４の発明は、請求項１記載の非ハードディスク保存媒体による急速起動とマルチメディアオーディオビデオ機能実行の方法において、（ｄ）のステップ中、オーディオビデオ装置の駆動プラグラムが予め保存媒体に保存されていることを特徴とする、非ハードディスク保存媒体による急速起動とマルチメディアオーディオビデオ機能実行の方法としている。
請求項５の発明は、非ハードディスク保存媒体による急速起動とマルチメディアオーディオビデオ機能実行の方法において、コンピュータ装置に第１オペレーションシステムをインストールしたハードディスク、ＲＡＭモジュール、保存媒体を読み取る保存媒体読取装置、及びオーディオビデオ装置が設けられ、該保存媒体に予め第２オペレーションシステムとオーディオビデオアプリケーションプログラムが保存され、この方法は、
（ａ）該コンピュータ装置を起動するステップ、
（ｂ）コンピュータ装置のディスプレイ装置にハードディスクの第１オペレーションシステムでの起動アイコンと保存媒体の第２オペレーションシステムでの起動アイコンを包含する機能選択アイコンを現出させ、使用者の選択に供するステップ、
（ｃ）保存媒体の第２オペレーションシステムでの起動が選択される時、コンピュータ装置が保存媒体中の第２オペレーションシステムをＲＡＭモジュールにロードし並びに第２オペレーションシステムを実行するステップ、
（ｄ）コンピュータ装置に接続されたオーディオビデオ装置を検出し、並びに検出したオーディオビデオ装置の駆動プログラムを実行するステップ、
（ｅ）保存媒体中のオーディオビデオアプリケーションプログラムを実行するステップ、
を具えたことを特徴とする、非ハードディスク保存媒体による急速起動とマルチメディアオーディオビデオ機能実行の方法としている。
請求項６の発明は、請求項５記載の非ハードディスク保存媒体による急速起動とマルチメディアオーディオビデオ機能実行の方法において、保存媒体読取装置がＣＤ−ＲＯＭドライブとされ、保存媒体がＣＤ−ＲＯＭとされたことを特徴とする、非ハードディスク保存媒体による急速起動とマルチメディアオーディオビデオ機能実行の方法としている。
請求項７の発明は、請求項５記載の非ハードディスク保存媒体による急速起動とマルチメディアオーディオビデオ機能実行の方法において、（ｃ）のステップ中に、更に、保存媒体が存在するかを検出するステップを包含することを特徴とする、非ハードディスク保存媒体による急速起動とマルチメディアオーディオビデオ機能実行の方法としている。
請求項８の発明は、請求項５記載の非ハードディスク保存媒体による急速起動とマルチメディアオーディオビデオ機能実行の方法において、（ｃ）のステップ中に、更に、コンピュータ装置のＲＡＭモジュール中にＲＡＭＤＩＳＫ領域を画定して第２オペレーションシステム、オーディオビデオ装置の駆動プログラム、及びオーディオビデオアプリケーションプログラムの実行に必要な空間となすステップを包含することを特徴とする、非ハードディスク保存媒体による急速起動とマルチメディアオーディオビデオ機能実行の方法としている。
請求項９の発明は、請求項５記載の非ハードディスク保存媒体による急速起動とマルチメディアオーディオビデオ機能実行の方法において、（ｄ）のステップ中、オーディオビデオ装置の駆動プラグラムが予め保存媒体に保存されていることを特徴とする、非ハードディスク保存媒体による急速起動とマルチメディアオーディオビデオ機能実行の方法としている。
【発明の効果】
【００１６】
本発明を従来の技術と比較すると、本発明はコンピュータ装置の基本入出力システムを改修する必要がなく、また該コンピュータ装置のハードディスク空間中に特定のハードディスク分割領域を画定する必要がなく、ただ選定オペレーションシステムとアプリケーションプログラムの保存媒体を準備すれば、マルチメディアオーディオビデオ機能の急速起動と実行を達成できる。該マルチメディアオーディオビデオ機能を実行する時、必要なオペレーションシステムとアプリケーションプログラムがいずれも例えばＣＤのような保存メディアに保存されているため、コンピュータ装置のオペレーションシステムを起動する必要がなく、最小のハードウエアソースを占拠するだけであり、ハードディスク不要の状況で、マルチメディアオーディオビデオ機能を急速起動実行でき、これにより使用者は完全に該コンピュータ装置のシステムソースと完全なハードディスク空間を利用できるようになる。
【発明を実施するための最良の形態】
【００１７】
本発明によると、コンピュータ装置を起動する時、例えばＣＤ等の非ハードディスク保存媒体に予め保存されたオペレーションシステムで該コンピュータ装置を起動し、続いて該コンピュータ装置に接続されたオーディオビデオ装置を検出し、検出したオーディオビデオ装置の駆動プログラムを実行し、該保存媒体中のオーディオビデオアプリケーションプログラムを実行し、オーディオビデオ機能の急速起動と実行を達成する。このステップは更に該コンピュータ装置のＲＡＭモジュール中にＲＡＭＤＩＳＫエリアを画定して該オペレーションシステム、該オーディオビデオ装置の駆動プログラム、及びオーディオビデオアプリケーションプログラムの実行に必要な空間とするステップを含む。
【実施例１】
【００１８】
図２は本発明の非ハードディスク保存媒体によりマルチメディアオーディオビデオ機能を急速起動し実行するシステムの表示図である。この実施例中、図１に示されるシステム表示図と同じ部品に関しては同じ符号を以て表示する。
【００１９】
本発明が組み合わされるコンピュータ装置１００は中央処理装置１、ＲＡＭモジュール２、ディスプレイ装置３、基本入出力システムメモリ４（ＢＩＯＳ  ＲＯＭ）、入出力装置５、ハードディスク６、保存媒体読取装置７、オーディオビデオ装置８、システムバス１０、バスブリッジ１１、ＰＣＩ／ＩＳＡバス１２、ディスプレイインタフェース３０、入出力コントロールインタフェース５０、ハードディスクインタフェース６０、保存媒体インタフェース７０、オーディオビデオインタフェース８０等の部品を具えている。
【００２０】
該基本入出力システムメモリ４中にはコンピュータ装置１００の起動時に必要な基本入出力システムプログラム（ＢＩＯＳ  プログラム４１）及びシステムセルフテストプログラム（Ｐｏｗｅｒ  Ｏｎ  Ｓｅｌｆ  Ｔｅｓｔ、略称ＰＯＳＴプログラム４２）が保存されている。
【００２１】
該コンピュータ装置１００のハードディスク６中に第１オペレーションシステム６１（例えば現在広く使用されているＷｉｎｄｏｗｓ（登録商標）オペレーションシステム）がインストールされている。コンピュータ装置起動時には、第１オペレーションシステム６１で起動するならば、該コンピュータ装置を第１オペレーションシステム６１の下で操作できる。該ハードディスク６中にはまたコンピュータ装置１００の運転に必要な駆動プログラム及びアプリケーションプログラム、例えば該コンピュータ装置１００の各種の入出力装置、駆動プログラム及びアプリケーションプログラムがインストールされうる。
【００２２】
該保存媒体読取装置７はディスクドライブとされ得る。該保存媒体読取装置７は保存媒体９（例えばＣＤ、ＤＶＤ）中のデータを読み取ることができる。図３に示されるように、本発明の機能を実現するための保存媒体９には、第２オペレーションシステム９１、駆動プログラム９２、及びオーディオビデオアプリケーションプログラム９３、及びその他のオーディオビデオ装置に関係する関係システムデータが保存されている。
【００２３】
該保存媒体９中に記録された第２オペレーションシステム９１は、リナックスベース（Ｌｉｎｕｘ−ｂａｓｅｄ）オペレーションシステムとされるか、その他の種類のオペレーションシステム、例えばタイニーウインドウズ（登録商標）ベースオペレーションシステム（Ｔｉｎｙ  Ｗｉｎｄｏｗｓ（登録商標）−ｂａｓｅｄ  Ｏｐｅｒａｔｉｎｇ  Ｓｙｓｔｅｍ）、或いは組み込み式オペレーションシステム（Ｅｍｂｅｄｄｅｄ  Ｏｐｅｒａｔｉｏｎ  Ｓｙｓｔｅｍ）とされうる。
【００２４】
該オーディオビデオ装置８はオーディオビデオインタフェース８０を介して該コンピュータ装置１００に接続されている。該オーディオビデオインタフェース８０には該オーディオビデオ装置８をコンピュータ装置１００のＰＣＩ／ＩＳＡバス１２に接続してコンピュータ装置１００が該オーディオビデオインタフェース８０を介して該オーディオビデオ装置８に対して制御を行なうか或いはデータ伝送を行なうことができる周知の標準周辺設備接続インタフェースが採用される。
【００２５】
図４は本発明の実施例の制御フローチャートである。図２のシステム表示図も組み合わせて以下に本発明の制御フローについて説明を行なう。
【００２６】
まず、コンピュータ装置１００起動時に、コンピュータ装置１００がまずシステム基本起動プロセスを実行する（ステップ１０１）。この時、該コンピュータ装置１００は基本入出力システムメモリ４よりＢＩＯＳプログラム４１とＰＯＳＴプログラム４２をロードする。
【００２７】
コンピュータ装置１００がシステム基本起動プロセスを完成した後、ＣＤ−ＲＯＭで起動するか（Ｂｏｏｔ  ｆｒｏｍ  ＣＤ−ＲＯＭ）の判別ステップ（ステップ１０２）を実行し、該コンピュータ装置１００を保存媒体読取装置７で起動するか或いはハードディスク６で起動するかを決定する。
【００２８】
このどの装置で起動するかを判別する機能は、一般にはコンピュータ装置１００のＢＩＯＳ設定表中で設定される。例えば、使用者は該ＢＩＯＳ設定表中で保存媒体読取装置７を第１順位の起動装置と設定し、ハードディスク６を第２順位の起動装置と設定することができる。ゆえにコンピュータ装置１００の起動時に、もし保存媒体読取装置７中の保存媒体９（ＣＤ−ＲＯＭ）が検出されなければ、コンピュータ装置１００はハードディスク６を起動装置として選択し（ステップ１０３）、並びにハードディスク６中の第１オペレーションシステム６１の標準起動プロセスを実行する（ステップ１０４）。
【００２９】
コンピュータ装置１００が保存媒体読取装置７に本発明により予め形成された保存媒体９（ＣＤ−ＲＯＭ）が置かれていることを検出及び確認すると、コンピュータ装置１００は該保存媒体９で起動する（ステップ１０５）。
【００３０】
ステップ１０２の判別ステップは、コンピュータ装置１００のディスプレイ装置３上に機能選択アイコンを現出させて使用者による選択に供するように変更できる。該機能選択アイコン中に使用者がハードディスク６の第１オペレーションシステム６１で起動するか、或いは保存媒体９の第２オペレーションシステム９１で起動するかの選択アイコンが設けられ、使用者は必要に応じてハードディスク６の第１オペレーションシステム６１により起動し一般のウインドウズ（登録商標）オペレーション及びそのアプリケーションプログラムを実行するか、或いは保存媒体９の第２オペレーションシステム９１により起動して本発明中の保存媒体での快速起動とマルチメディアオーディオビデオ機能実行を選択することができる。
【００３１】
ステップ１０５の起動プロセス中、コンピュータ装置はまず保存媒体９中の第２オペレーションシステム９１をコンピュータ装置１００のＲＡＭモジュール２中にロードし並びに第２オペレーションシステム９１を実行する（ステップ１０６）。
【００３２】
このステップで、コンピュータ装置１００に周知のＲＡＭＤＩＳＫの技術を採用してＲＡＭモジュール２中にＲＡＭＤＩＳＫ領域２１を画定し（ステップ１０７）て後のアプリケーションプログラムの実行及びシステム操作に必要な空間となすことができる。
【００３３】
ステップ１０７の後、該コンピュータ装置１００は該コンピュータ装置１００に接続された関係ハードウエア周辺装置を検出し（ステップ１０８）、並びに検出した関係ハードウエア周辺装置に対応する駆動プログラム９２をロードし（ステップ１０９）、並びに該ハードウエア周辺装置を駆動する。該関係ハードウエア周辺装置はオーディオビデオ装置８、及び関係するオーディオビデオ装置を含む。該オーディオビデオ装置８の駆動プログラム９２は予め該保存媒体９中に保存されるが、当然該ハードディスク６中に保存することも可能である。
【００３４】
ハードウエア周辺装置の駆動完成後、該コンピュータ装置１００はまず保存媒体９に保存されたオーディオビデオアプリケーションプログラム９３を前述のステップ１０７中のＲＡＭモジュール２中に画定されたＲＡＭＤＩＳＫ領域２１中にロードし、並びに設定により該オーディオビデオアプリケーションプログラム９３を自動実行する（ステップ１１０）。この時、使用者はコンピュータ装置１００の第１オペレーションシステム６１に進入する必要がなく、且つコンピュータ装置１００のハードディスク６を必要とせずにマルチメディアオーディオビデオ機能を実行できる。
【００３５】
ステップ１１０中で、設定によりオーディオビデオアプリケーションプログラムを自動実行する方式のほか、使用者が必要により選択する動作方式も可能であり、例えば保存媒体中に複数のアプリケーションプログラムが保存されて、ゆえにオーディオビデオアプリケーションプログラムを実行する時、使用者が選択的に実行したいオーディオビデオ機能アイコンをクリック選択できるものとされる。
【００３６】
上述の本発明の実施例より分かるように、本発明は実用的な快速起動とマルチメディアオーディオビデオ機能実行の技術を提供する。ゆえに本発明は極めて産業上の利用価値を有する。以上の実施例に基づきなしうる細部の修飾或いは改変は、いずれも本発明の請求範囲に属するものとする。
【図面の簡単な説明】
【００３７】
【図１】周知のコンピュータ装置とオーディオビデオ装置で構成されたシステムの構造表示図である。
【図２】本発明による非ハードディスク保存媒体による急速起動とマルチメディアオーディオビデオ機能実行のシステム表示図である。
【図３】本発明による保存媒体表示図である。
【図４】本発明の実施例の制御フローチャートである。
【符号の説明】
【００３８】
１００  コンピュータ装置
１  中央処理装置
１０  システムバス
１１  バスブリッジ
１２  ＰＣＩ／ＩＳＡバス
２  ＲＡＭモジュール
２１  ＲＡＭＤＩＳＫ領域
４  基本入出力システムメモリ
４１  ＢＩＯＳプログラム
４２  ＰＯＳＴプログラム
５  入出力装置
５０  入出力コントロールインタフェース
６  ハードディスク
６ａ  第１分割領域
６ｂ  第２分割領域
６０  ハードディスクインタフェース
６１  第１オペレーションシステム
６２  第２オペレーションシステム
６３  オーディオビデオアプリケーションプログラム
７  保存媒体読取装置
７０  保存媒体インタフェース
８  オーディオビデオ装置
８０  オーディオビデオインタフェース
９  保存媒体
９１  第２オペレーションシステム
９２  駆動プログラム
９３  オーディオビデオアプリケーションプログラム
【図１】
2006031663.tif 000003
【図２】
2006031663.tif 000004
【図３】
2006031663.tif 000005
【図４】
2006031663.tif 000006